(57)【要約】【課題】暖かみと多様なデザイン性を備えるとともに、可搬性を備え、任意の場所に設置することができ、不要な場合には収納することができるファブリックフェンスを提供すること。【解決手段】所定の間隔で立設される複数の支柱２，３，４を備え、隣接する２つの支柱２と３及び支柱３と４の一方（支柱２，３）に可撓性のファブリック６を巻回収納し、他方（支柱３，４）にフック８，９を設け、前記一方の支柱（２，３）に巻回収納されたファブリック６を横方向に引き出してその端部を前記他方の支柱（３，４）に設けられたフック８，９に係止可能としてファブリックフェンス１を構成する。又、両端２，４の支柱の間に少なくとも１本の中間柱３を設け、該中間柱３に前記ファブリック６を巻回収納するとともに、前記フック８，９を設ける。【選択図】図１
2006316481.tif 000002
【特許請求の範囲】
【請求項１】
所定の間隔で立設される複数の支柱を備え、隣接する２つの支柱の一方に可撓性のファブリックを巻回収納し、他方にフックを設け、前記一方の支柱に巻回収納されたファブリックを横方向に引き出してその端部を前記他方の支柱に設けられたフックに係止可能として構成されることを特徴とするファブリックフェンス。
【請求項２】
両端の支柱の間に少なくとも１本の中間柱を設け、該中間柱に前記ファブリックを巻回収納するとともに、前記フックを設けたことを特徴とする請求項１記載のファブリックフェンス。
【請求項３】
前記ファブリックの引き出し側端部に係止バーを縦方向に取り付け、該係止バーが係止される前記フックを支柱の上下に設けるとともに、該フックの少なくとも一方を横方向にスライド可能としたことを特徴とする請求項１又は２記載のファブリックフェンス。
【請求項４】
前記支柱をベース上に立設し、該支柱をベースと共に搬送可能としたことを特徴とする請求項１〜３の何れかに記載のファブリックフェンス。
【請求項５】
前記ベースを固定可能としたことを特徴とする請求項４記載のファブリックフェンス。
【発明の詳細な説明】
【技術分野】
【０００１】
本発明は、可搬性を有するファブリックを横方向に引き出して使用するファブリックフェンスに関するものである。
【背景技術】
【０００２】
庭やウッドデッキ、オフィス等では、使用状況に応じて目隠しして外部からの視線を遮断したり、オープンにしたりすることがある。
【０００３】
例えば、庭等を外部の視線から遮るものとしては、石や木、金属、生け垣等の垣根や固定式のフェンス或はルーバーで一部を開閉することができるフェンスが用いられている。
【０００４】
又、窓等を開閉するロールブラインド等も用いられている（例えば、特許文献１，２参照）。
【０００５】
【特許文献１】特開平５−０８６７７８号公報
【特許文献２】特開２０００−１９２７６４号公報
【発明の開示】
【発明が解決しようとする課題】
【０００６】
ところが、石や木、金属、生け垣等の垣根は堅固ではあるが、暖かみに欠けるという欠点を有している。
【０００７】
又、固定式のフェンスやロールブラインドは可搬性に欠け、これらの設置場所を必要に応じて適宜変更したり、不要な場合に収納することができないという欠点を有している。
【０００８】
本発明は上記問題に鑑みてなされたもので、その目的とする処は、暖かみと多様なデザイン性を備えるとともに、可搬性を備え、任意の場所に設置することができ、不要な場合には収納することができるファブリックフェンスを提供することにある。
【課題を解決するための手段】
【０００９】
上記目的を達成するため、請求項１記載の発明は、所定の間隔で立設される複数の支柱を備え、隣接する２つの支柱の一方に可撓性のファブリックを巻回収納し、他方にフックを設け、前記一方の支柱に巻回収納されたファブリックを横方向に引き出してその端部を前記他方の支柱に設けられたフックに係止可能としてファブリックフェンスを構成したことを特徴とする。
【００１０】
請求項２記載の発明は、請求項１記載の発明において、両端の支柱の間に少なくとも１本の中間柱を設け、該中間柱に前記ファブリックを巻回収納するとともに、前記フックを設けたことを特徴とする。
【００１１】
請求項３記載の発明は、請求項１又は２記載の発明において、前記ファブリックの引き出し側端部に係止バーを縦方向に取り付け、該係止バーが係止される前記フックを支柱の上下に設けるとともに、該フックの少なくとも一方を横方向にスライド可能としたことを特徴とする。
【００１２】
請求項３記載の発明は、請求項１又は２記載の発明において、３本以上の支柱のうちの両端を除く中間の支柱に前記フックを設けたことを特徴とする。
【００１３】
請求項４記載の発明は、請求項１〜３の何れかに記載の発明において、前記支柱をベース上に立設し、該支柱をベースと共に搬送可能としたことを特徴とする。
【００１４】
請求項５記載の発明は、請求項４記載の発明において、前記ベースを固定可能としたことを特徴とする。
【発明の効果】
【００１５】
請求項１記載の発明によれば、支柱に巻回収納されたファブリックを横方向に引き出し、その端部を隣接する他の支柱に設けられたフックに係止することによってフェンスとして使用することができ、ファブリックの材質やカラーを選択することによって暖かみと多様なデザイン性を備えたフェンスを得ることができる。
【００１６】
請求項２記載の発明によれば、中間柱を追加することによって、用途に応じた長さのフェンスを容易に得ることができる。
【００１７】
請求項３記載の発明によれば、支柱の上下に設けられたフックの少なくとも一方を横方向にスライド可能としたため、引き出されたファブリックに弛みが生じた場合には、フックを横方向にスライドさせてその位置を調整することによって弛みを無くしてファブリックをピンと張ることができる。
【００１８】
請求項４記載の発明によれば、支柱をベースと共に搬送することによって、当該ファブリックフェンスを任意の場所に設置することができるとともに、不要になった場合にはファブリックフェンスを倉庫等に簡単に収納することができる。
【００１９】
請求項５記載の発明によれば、ベースを固定することによって、当該ファブリックフェンスが強風等を受けても転倒することがなく、ファブリックフェンスの機能が損なわれることがない。
【発明を実施するための最良の形態】
【００２０】
以下に本発明の実施の形態を添付図面に基づいて説明する。
【００２１】
図１は本発明に係るファブリックフェンスの正面図、図２は同ファブリックフェンスの平面図、図３はフックが取り付けられた支柱の部分斜視図、図４は下方のフックの平面図、図５は図４のＡ−Ａ線断面図、図６は図４のＢ−Ｂ線断面図、図７はファブリックを引き出す状態を示す正面図、図８はファブリックに弛みが生じた場合の調整方法を示す正面図である。
【００２２】
本発明に係るファブリックフェンス１は、図１及び図２に示すように、所定の間隔で立設される複数の支柱２，３，４を備えており、各支柱２，３，４は、丸パイプで構成され、その下端に固着された矩形平板状のベース５と共に任意の場所まで搬送可能であって、図示のように適当な間隔で床面Ｗ等の上に垂直に立設されている。尚、各ベース５の四隅には円孔状のボルト挿通孔５ａが形成されており、これらのボルト挿通孔５ａに挿通する不図示のボルトでベース５を固定することによって各支柱２，３，４を床面Ｗ等の上に固定することができる。
【００２３】
ここで、図中、左端の支柱２（以下、「端柱２」と称する）の内部には、可撓性のファブリック６が巻回収納されており、このファブリック６は、横方向に引き出し可能であって、その引き出し端には上下方向に長い丸棒状の係止バー７が取り付けられている。ここで、ファブリック６は、端柱２に内蔵された不図示の軸に巻回されており、軸はスプリング等の不図示の付勢手段によってファブリック６を巻き取る方向に付勢されている。尚、ファブリック６は、例えばポリエステルやアクリル等の材質で構成され、そのカラーは多種多様であって、ユーザーの好みに応じて適宜選択される。
【００２４】
又、端柱２に隣接する中間の支柱３（以下、「中間柱３」と称する）の端柱２に対向する面の上下にはフック８，９が取り付けられている。そして、この中間柱３の内部には、端柱２と同様に、横方向に引き出し可能なファブリック６が巻回収納されている。
【００２５】
ところで、図３に示すように、上方の前記フック８は、鍵状のものであって、これは中間柱３の上部にビス止めによって固定される。
【００２６】
他方、下方のフック９は、横方向にスライド可能であって、図４〜図６に示すように、中間柱３の中間高さ位置にビス止めによって固定されたフック本体１０の水平方向に延びるベース部１０ａにスライダ１１を横方向にスライド可能に嵌合保持して構成されている。
【００２７】
上記フック本体１０のベース部１０ａの幅方向中央部には横方向に長い長孔１０ｂが形成されており、この長孔１０ｂの周囲には同じく横方向に長い４つの長孔１０ｃが形成されている。又、前記スライダ１１は、矩形ブロック状に成形され、その中心部には円孔状の係止孔１１ａが穿設され、この係止孔１１ａの周囲には４つのねじ孔１１ｂ（図５参照）が形成されている。そして、このスライダ１１は、フック本体１０に横方向にスライド可能に嵌合保持されており、フック本体１０に形成された前記長孔１０ｂに下方から挿通してスライダ１１の前記ねじ孔１１ｂに螺合するビス１２を締め付けることによってフック本体１０に固定されるが、ビス１２が長孔１０ｃ内を移動し得る範囲で横方向にスライドすることができる。尚、スライダ１１に形成された係止孔１１ａは、スライダ１１がどの位置にあっても、フック本体１０の長孔１０ｂに開口している。
【００２８】
又、図１及び図２中、右端の支柱４（以下、「端柱４」と称する）には、前記と同様の上下一対のフック８，９が取り付けられている。尚、この端柱４内にはファブリック６は収納されてはいない。
【００２９】
以上の構成を有するファブリックフェンス１を使用するには、複数の支柱２，３，４をベース５と共に所定の場所に搬送して図１及び図２に示すように床面Ｗ等の上に適当な間隔を開けて垂直立設し、端柱２及び中間柱３の内部に巻回収納されたファブリック６を横方向に引き出し、その引き出し端に取り付けられた係止バー７を中間柱３及び端柱４に設けられたフック８，９にそれぞれ係止させることによって、図１及び図２に示すように、各支柱２，３，４間にファブリック６を張設してこれらによって外部からの視界を遮断することができる。
【００３０】
ここで、端柱２内に巻回収納されたファブリック６の張設要領を図７に示すが、同図に示すように、端柱２内に巻回収容されたファブリック６を横方向（図示矢印方向）に引き出し、その端部に取り付けられた係止バー７の下端部を中間柱３に取り付けられた下方のフック９の係止孔１１ａ及び長孔１０ｂ（図４及び図６参照）に上から差し込んで係止させる。そして、その後、係止バー７の上端部を上方のフック８に係止すれば、ファブリック６が図１及び図２に示すように端柱２と中間柱３の間に張設される。この場合、図８に示すように、ファブリック６に弛みが生じた場合には、下方のフック９のスライダ１１を横方向にスライドさせて弛みを無くし、ファブリック６をしわ無くピンと張ることができる。ここで、フック９のスライダ１１のスライドは次のようになされる。
【００３１】
即ち、図４〜図６に示すビス１２を緩めてスライダ１１の固定を解除した状態で、該スライダ１１をフック本体１０に対して横方向にスライドさせた後、ビス１２を締め付けてスライダ１１をフック本体１０に固定すれば、該スライダ１１の横方向の位置が調整されて前述のようにファブリック６の弛みが解消される。
【００３２】
尚、他のファブリック６の張設及び弛みが生じた場合の調整は上記と同様になされる。又、用途に応じて中間柱３の本数を追加することによって、当該ファブリックフェンス１の長さを任意に設定することができるとともに、曲線部やコーナー部にも対応することができる。
【００３３】
以上のように、本実施の形態に係るファブリックフェンス１は、支柱２，３に巻回収納されたファブリック６を横方向に引き出し、その端部に取り付けられた係止バー７を隣接する他の支柱３，４に設けられたフック８，９にそれぞれ係止することによってフェンスとして使用することができ、ファブリック６の材質やカラーを選択することによって暖かみと多様なデザイン性を備えたフェンスとすることができる。例えば、ファブリック６のカラーに工夫を凝らして当該ファブリックフェンス１が設置された場所を目立たせることができ、町並み等をカラフルにデザインすることができる。又、ユーザーの気分によってファブリック６のカラーを変えたり、ファブリック６が汚れた場合にはこれを別のものに簡単に交換することができる。
【００３４】
又、支柱２，３，４をベース５と共に搬送することによって、当該ファブリックフェンス１を任意の場所に設置することができるとともに、不要になった場合にはファブリックフェンス１を倉庫等に簡単に収納することができる。
【００３５】
更に、ベース５に形成されたボルト挿通孔５ａに挿通するボルトによってベース５を固定することによって各支柱２，３，４を床面Ｗ等の上に固定することができるため、ファブリックフェンス１が強風等を受けても転倒することがなく、該ファブリックフェンス１の本来の機能が損なわれることがない。
【産業上の利用可能性】
【００３６】
本発明に係るファブリックフェンスは、家庭の庭やウッドデッキ、レストランやオフィスと道路との境界面、イベント会場の立ち入り禁止区域との境界等の場所に設置することができる他、室内の簡易間仕切り等としても利用することができ、その適用範囲は広範に及ぶ。
【図面の簡単な説明】
【００３７】
【図１】本発明に係るファブリックフェンスの正面図である。
【図２】本発明に係るファブリックフェンスの平面図である。
【図３】本発明に係るファブリックフェンスのフックが取り付けられた支柱の部分斜視図である。
【図４】本発明に係るファブリックフェンスのフックの平面図である。
【図５】図４のＡ−Ａ線断面図である。
【図６】図４のＢ−Ｂ線断面図である。
【図７】本発明に係るファブリックフェンスにおいてファブリックを引き出す状態を示す正面図である。
【図８】本発明に係るファブリックフェンスにおいてファブリックに弛みが生じた場合の調整方法を示す正面図である。
【符号の説明】
【００３８】
１      ファブリックフェンス
２      端柱（支柱）
３      中間柱（支柱）
４      端柱（支柱）
５      ベース
６      ファブリック
７      係止バー
８，９  フック
１０    フック本体
１０ａ  ベース部
１０ｂ  長孔
１０ｃ  長孔
１１    スライダ
１１ａ  係止孔
１１ｂ  ネジ孔
１２    ビス
【図１】
2006316481.tif 000003
【図２】
2006316481.tif 000004
【図３】
2006316481.tif 000005
【図４】
2006316481.tif 000006
【図５】
2006316481.tif 000007
【図６】
2006316481.tif 000008
【図７】
2006316481.tif 000009
【図８】
2006316481.tif 000010